(57)【要約】【課題】外壁部の通気層の通気を確保しながらも、当該通気に伴う不具合の発生を抑制することが可能な建物の通気構造を提供する。【解決手段】通気層５５を有する外壁部５０と、前記外壁部５０との間に空気を導入可能な通気口Ｖを形成するように配置された軒天部３０と、前記外壁部５０及び前記軒天部３０との間に前記通気口Ｖと前記通気層５５とを連通する隙間をあけた状態で、当該通気口Ｖ及び前記通気層５５を上方から覆う防湿シート７０（防湿部材）と、を具備した。【選択図】図３
2018127784.tif 000002
【特許請求の範囲】
【請求項１】
通気層を有する外壁部と、
前記外壁部との間に空気を導入可能な通気口を形成するように配置された軒天部と、
前記外壁部及び前記軒天部との間に前記通気口と前記通気層とを連通する隙間をあけた状態で、当該通気口及び前記通気層を上方から覆う防湿部材と、
を具備する建物の通気構造。
【請求項２】
前記外壁部は、
第一平板状部と、
前記第一平板状部よりも前記建物の内側に配置され、前記第一平板状部との間に前記通気層を形成し、前記第一平板状部の上端よりも高い位置に上端が位置するように配置される第二平板状部と、
を具備し、
前記防湿部材は、
前記第二平板状部に載置される、
請求項１に記載の建物の通気構造。
【請求項３】
前記外壁部に対して前記軒天部を取り付けるための取付部をさらに具備し、
前記防湿部材は、
前記取付部に載置される、
請求項１又は請求項２に記載の建物の通気構造。
【請求項４】
前記防湿部材の一部は、
前記取付部と前記軒天部との間に挟持される、
請求項３に記載の建物の通気構造。
【請求項５】
前記防湿部材は、
前記通気口よりも前記建物の外側において、下方に延設される延設部を具備する、
請求項１から請求項４までのいずれか一項に記載の建物の通気構造。
【請求項６】
前記防湿部材は、
可撓性を有するシート状に形成される、
請求項１から請求項５までのいずれか一項に記載の建物の通気構造。
【発明の詳細な説明】
【技術分野】
【０００１】
本発明は、建物の通気構造の技術に関する。
【背景技術】
【０００２】
従来、建物の通気構造の技術は公知となっている。例えば、特許文献１に記載の如くである。
【０００３】
特許文献１には、軒天井と外壁との間に形成される間隙に配設される軒天見切が開示されている。当該軒天見切には、空気が流通することができる経路が２つ（２経路）形成されている。当該軒天見切は、当該２つの経路を介して軒天井の下方から上方（建物の内部）へと空気を流通させることで、空気の対流を促し、建物の内部を効率良く換気することができる。
【０００４】
またこのように、軒天井と外壁との間（軒天見切り）における通気をよくすることで、外壁内部に形成された通気層等の通気をよくすることもできる。外壁内部の通気層における通気は、当該外壁の品質（強度や寿命）を保つために重要である。
【０００５】
一方で、軒天井と外壁との間から上方（建物の内部）への通気をよくすると、建物の内部（小屋裏等）に不具合が生じるおそれもある。例えば、空気中に含まれた塩分によって金属部材（鉄骨等）の腐食が促進されたり、雨水が建物の内部に浸入し易くるおそれがある。
【先行技術文献】
【特許文献】
【０００６】
【特許文献１】特開２０１０−２０３１６６号公報
【発明の概要】
【発明が解決しようとする課題】
【０００７】
本発明は以上の如き状況に鑑みてなされたものであり、その解決しようとする課題は、外壁部の通気層の通気を確保しながらも、当該通気に伴う不具合の発生を抑制することが可能な建物の通気構造を提供することである。
【課題を解決するための手段】
【０００８】
本発明の解決しようとする課題は以上の如くであり、次にこの課題を解決するための手段を説明する。
【０００９】
即ち、請求項１においては、通気層を有する外壁部と、前記外壁部との間に空気を導入可能な通気口を形成するように配置された軒天部と、前記外壁部及び前記軒天部との間に前記通気口と前記通気層とを連通する隙間をあけた状態で、当該通気口及び前記通気層を上方から覆う防湿部材と、を具備するものである。
【００１０】
請求項２においては、前記外壁部は、第一平板状部と、前記第一平板状部よりも前記建物の内側に配置され、前記第一平板状部との間に前記通気層を形成し、前記第一平板状部の上端よりも高い位置に上端が位置するように配置される第二平板状部と、を具備し、前記防湿部材は、前記第二平板状部に載置されるものである。
【００１１】
請求項３においては、前記外壁部に対して前記軒天部を取り付けるための取付部をさらに具備し、前記防湿部材は、前記取付部に載置されるものである。
【００１２】
請求項４においては、前記防湿部材の一部は、前記取付部と前記軒天部との間に挟持されるものである。
【００１３】
請求項５においては、前記防湿部材は、前記通気口よりも前記建物の外側において、下方に延設される延設部を具備するものである。
【００１４】
請求項６においては、前記防湿部材は、可撓性を有するシート状に形成されるものである。
【発明の効果】
【００１５】
本発明の効果として、以下に示すような効果を奏する。
【００１６】
請求項１においては、外壁部の通気層の通気を確保しながらも、当該通気に伴う不具合の発生を抑制することができる。
【００１７】
請求項２においては、防湿部材の位置決めを容易に行うことができる。
【００１８】
請求項３においては、防湿部材の位置決めを容易に行うことができる。
【００１９】
請求項４においては、防湿部材を容易に固定することができる。
【００２０】
請求項５においては、空気の拡散を効果的に抑制することができる。これによって、通気に伴う不具合をより効果的に抑制することができる。
【００２１】
請求項６においては、防湿部材の施工性を向上させることができる。
【図面の簡単な説明】
【００２２】
【図１】本実施形態に係る通気構造を有する住宅を示した平面模式図。
【図２】図１のＡ−Ａ断面図。
【図３】図２の拡大図。
【図４】通気構造を示した斜視図。
【図５】外壁部及び防湿シートを示した分解図。
【図６】防湿構造を示した分解断面図。
【発明を実施するための形態】
【００２３】
以下では、図中の矢印に基づいて、前後方向、左右方向及び上下方向を定義して説明を行う。
【００２４】
まず、図１及び図２を用いて、本発明の一実施形態に係る通気構造Ｓを有する住宅Ｈの概略について説明する。
【００２５】
住宅Ｈは、二階建ての戸建て住宅である。住宅Ｈの２階部分には、当該住宅Ｈの建物本体Ｔから側方に突出するようなキャンチ構造のバルコニーＢが設けられている。バルコニーＢは、主としてバルコニー床梁１０、バルコニー床パネル２０、軒天部３０を具備する。
【００２６】
図２に示すバルコニー床梁１０は、建物本体Ｔの桁４０から外側（建物本体Ｔから離間する方向）に向かって延びるように設けられる。バルコニー床梁１０の上方には、バルコニー床パネル２０が配置される。バルコニー床梁１０の下方には、軒天部３０が配置される。
【００２７】
軒天部３０は、建物本体Ｔの外壁部５０との間に隙間（後述する通気口Ｖ）をあけて配置される。当該隙間を介して住宅Ｈの外部と内部（バルコニーＢの内部や、後述する外壁部５０の通気層５５）とを連通することで、当該住宅Ｈの内部の通気をよくすることができる。
【００２８】
次に、図３から図５までを用いて、本実施形態に係る通気構造Ｓについて詳細に説明する。通気構造Ｓは、住宅Ｈ（バルコニーＢ等）の内部への通気性を確保するためのものである。通気構造Ｓは、主として外壁部５０、軒天部３０、軒天見切６０及び防湿シート７０を具備する。
【００２９】
外壁部５０は、住宅Ｈ（建物本体Ｔ）の外側の面を形成する部分である。外壁部５０は、主として外壁フレーム５１、グラスウール５２、断熱ボード５３、外壁面材５４、通気層５５、軒天吊金物５６及び吊木５７を具備する。
【００３０】
外壁フレーム５１は、外壁部５０の主たる構造体を成すものである。図３等においては、外壁フレーム５１の一部分（上端部）のみを示しているが、実際には、外壁フレーム５１は適宜の枠状に形成される。
【００３１】
外壁フレーム５１には、グラスウール５２が設けられる。グラスウール５２の外側（左方）には、板状の断熱ボード５３が設けられる。断熱ボード５３の上端は、外壁フレーム５１の上端と略同一位置に配置される。
【００３２】
断熱ボード５３の外側には、当該断熱ボード５３との間に隙間をあけた状態で外壁面材５４が設けられる。外壁面材５４の上端は、断熱ボード５３よりも下方（低い位置）に位置するように配置される。
【００３３】
このように、断熱ボード５３と外壁面材５４との間の隙間によって、外壁部５０の通気層５５が形成される。通気層５５に空気を流通させる（通気させる）ことで、外壁部５０の乾燥を促し、当該外壁部５０の品質（強度や寿命等）を保つことができる。なお、外壁部５０の下部には、当該通気層５５に空気を導入するための導入口（不図示）が形成される。
【００３４】
図３及び図５に示す軒天吊金物５６は、略矩形板状に形成される部材である。軒天吊金物５６は、外壁面材５４のすぐ上方に配置される。軒天吊金物５６の一端（右端）は、外壁フレーム５１に適宜固定される。軒天吊金物５６は、板面を前後に向けた状態で、外壁フレーム５１から左方に向かって延びるように配置される。軒天吊金物５６の左端部は、外壁面材５４よりも左方に位置するように形成される。
【００３５】
吊木５７は、軒天部３０を固定するための部分である。吊木５７は、略直方体状の木材により形成される。吊木５７は、軒天吊金物５６の左端部に固定される。これによって、吊木５７は、外壁面材５４の外側（左方）に配置される。
【００３６】
図３及び図４に示す軒天部３０は、バルコニーＢの下部（下面）を形成する部分である。軒天部３０は、主として軒天下地パネル３１及び軒天面材３２を具備する。
【００３７】
軒天下地パネル３１は、軒天部３０の下地となる部材である。軒天下地パネル３１は、水平に広がる板状に形成される。
【００３８】
軒天下地パネル３１の下面には、軒天面材３２が設けられる。軒天面材３２は、軒天下地パネル３１全体を下方から覆うように配置される。
【００３９】
このように構成された軒天部３０において、軒天下地パネル３１の右端部（右側面）が外壁部５０の吊木５７の左側面に適宜固定される。この際、当該軒天部３０（軒天面材３２の右端）と外壁部５０（外壁面材５４）との間には隙間が確保される。当該隙間が、住宅Ｈの内部の通気性を確保するための通気口Ｖとなる。
【００４０】
軒天見切６０は、軒天部３０と外壁部５０との間に亘るように設けられる部材である。軒天見切６０の左端部は、軒天部３０（軒天面材３２）の右端部に固定される。軒天見切６０の右端部は、外壁部５０（外壁面材５４）に固定される。軒天見切６０の右端部近傍には、左下方から右上方に向かう傾斜面６１が形成され、当該傾斜面６１に複数の貫通孔６２（図４参照）が形成される。
【００４１】
このように、軒天見切６０は、軒天部３０と外壁部５０との間の隙間（通気口Ｖ）を埋めるように配置される。これによって、当該隙間部分の美観を向上させることができる。なお、軒天見切６０の貫通孔６２を介して空気が流通することができるため、軒天見切６０を配置しても、住宅Ｈの内部への通気性を確保することができる。
【００４２】
防湿シート７０は、防湿効果を有する（水分を透過し難い）シート状の部材である。防湿シート７０の材質としては、ポリエチレンシート、ポリエチレン不織布、プラスチックシート等、適宜の材質を用いることができる。防湿シート７０は、可撓性を有するように形成されている。
【００４３】
図３から図５までに示す防湿シート７０は、外壁部５０の上端を覆うように配置される。具体的には、防湿シート７０は、外壁フレーム５１、断熱ボード５３、軒天吊金物５６及び吊木５７の上端に載置される。また防湿シート７０の左端部は下方に向かって屈曲され、吊木５７と軒天下地パネル３１との間に挟持される。
【００４４】
このように配置された防湿シート７０によって、外壁部５０の通気層５５及び通気口Ｖの上方が覆われることになる。この際、外壁面材５４の上端と防湿シート７０との間には隙間があけられた状態となっている。このため、通気層５５と通気口Ｖは、外壁面材５４の上方の隙間（空間）を介して連通している。
【００４５】
次に、図４から図６までを用いて、通気構造Ｓの施工方法の概略について説明する。
【００４６】
外壁部５０のうち、外壁フレーム５１、グラスウール５２、断熱ボード５３及び外壁面材５４は、予め互いに組み付けられることにより、一体化された部材（外壁パネル）が形成されている。まず、当該外壁パネル（外壁フレーム５１等）に対して、軒天吊金物５６及び吊木５７が固定される（図５参照）。
【００４７】
次に、外壁部５０の上端に、防湿シート７０が載置される（図５及び図６参照）。この際防湿シート７０は、粘着テープによって外壁フレーム５１の上端に固定される。
【００４８】
次に、防湿シート７０の左端部が屈曲される（図６参照）。当該防湿シート７０の左端部は、吊木５７の左側面に沿うように下方に向かって延設される。
【００４９】
次に、軒天部３０の軒天下地パネル３１を、吊木５７の左側面に固定する（図６参照）。この際、当該軒天下地パネル３１と吊木５７との間に防湿シート７０の左端部が挟みこまれて固定される。
【００５０】
最後に、軒天部３０と外壁部５０との間の隙間（通気口Ｖ）を覆うように、軒天見切６０が取り付けられる（図４参照）。
【００５１】
このように、軒天下地パネル３１を吊木５７に固定する際に、防湿シート７０を当該軒天下地パネル３１と吊木５７との間に挟みこんで固定することで、当該防湿シート７０を容易に固定することができる。また、可撓性を有する防湿シート７０を用いることで、施工性を向上させることができる。
【００５２】
次に、上述の如く構成された通気構造Ｓによる建物の通気の様子について説明する。
【００５３】
外壁部５０の下部に形成された導入口（不図示）から通気層５５へと導入された空気は、当該通気層５５を上方へと流通し、外壁面材５４の上方を介して通気口Ｖから排出される。この際、屈曲された防湿シート７０によって、通気層５５から通気口Ｖへと空気を案内することができるため、外壁部５０の湿気を含んだ空気を速やかに排出することができる。
【００５４】
また、住宅Ｈの外部の空気は、通気口Ｖ（軒天見切６０の貫通孔６２）を下方から上方へと流通し、住宅Ｈの内部へと導入される。ここで、通気口Ｖの上方には防湿シート７０が配置されているため、当該通気口Ｖから導入された空気が住宅Ｈの内部で拡散し難くなる。特に本実施形態においては、防湿シート７０の左端部が下方へと屈曲されているため、左方への空気の拡散が効果的に抑制される。
【００５５】
このように、通気口Ｖから導入された空気の拡散を抑制することで、空気中に含まれた塩分による金属部材（鉄骨等）の腐食を抑制したり、空気中の水分が住宅Ｈの内部に飛散するのを抑制したりすることができる。これによって、住宅Ｈの品質（強度や寿命等）を保ち易くすることができる。
【００５６】
以上の如く、本実施形態に係る住宅Ｈ（建物）の通気構造Ｓは、
通気層５５を有する外壁部５０と、
前記外壁部５０との間に空気を導入可能な通気口Ｖを形成するように配置された軒天部３０と、
前記外壁部５０及び前記軒天部３０との間に前記通気口Ｖと前記通気層５５とを連通する隙間をあけた状態で、当該通気口Ｖ及び前記通気層５５を上方から覆う防湿シート７０（防湿部材）と、
を具備するものである。
【００５７】
このような構成により、外壁部５０の通気層５５の通気を確保しながらも、当該通気に伴う不具合の発生を抑制することができる。すなわち、通気口Ｖと通気層５５とを連通させながらも、通気口Ｖから導入された空気の拡散を防湿シート７０によって抑制することができる。これによって、当該通気口Ｖからの導入された空気に含まれる塩分や水分による種々の不具合の発生を抑制することができる。このような通気構造Ｓは、特に塩害の生じ易い海岸沿いの地域において有用である。
【００５８】
また、前記外壁部５０は、
第一平板状部（外壁面材５４）と、
前記第一平板状部よりも前記住宅Ｈの内側に配置され、前記第一平板状部との間に前記通気層５５を形成し、前記第一平板状部の上端よりも高い位置に上端が位置するように配置される第二平板状部（外壁フレーム５１及び断熱ボード５３）と、
を具備し、
前記防湿シート７０は、
前記第二平板状部に載置されるものである。
【００５９】
このような構成により、防湿シート７０の位置決めを容易に行うことができる。また、特に本実施形態においては、防湿シート７０を外壁フレーム５１に対して粘着テープで固定することで、当該防湿シート７０を容易に固定することができる。
【００６０】
また、通気構造Ｓは、
前記外壁部５０に対して前記軒天部３０を取り付けるための取付部（軒天吊金物５６及び吊木５７）をさらに具備し、
前記防湿シート７０は、
前記取付部に載置されるものである。
【００６１】
このような構成により、防湿シート７０の位置決めを容易に行うことができる。
【００６２】
また、前記防湿シート７０の一部は、
前記取付部（吊木５７）と前記軒天部３０との間に挟持されるものである。
【００６３】
このような構成により、防湿シート７０を容易に固定することができる。すなわち、防湿シート７０を固定するための固定具を用いることなく、当該防湿シート７０の一部を固定することができる。特に本実施形態においては、軒天部３０と吊木５７との間に防湿シート７０を挟持することで、軒天部３０を吊木５７に固定する際に防湿シート７０もまとめて固定することができる。
【００６４】
また、前記防湿シート７０は、
前記通気口Ｖよりも前記住宅Ｈの外側（左側）において、下方に延設される延設部（防湿シート７０の左端部）を具備するものである。
【００６５】
このような構成により、空気の拡散を効果的に抑制することができる。これによって、通気に伴う不具合をより効果的に抑制することができる。
【００６６】
また、前記防湿シート７０は、
可撓性を有するシート状に形成されるものである。
【００６７】
このような構成により、防湿シート７０の施工性を向上させることができる。すなわち、防湿シート７０を任意に撓ませることができるため、当該防湿シート７０が施工される（取り付けられる）各部の寸法誤差や組み付け誤差を許容し易くなる。
【００６８】
なお、本実施形態に係る住宅Ｈは、本発明に係る建物の実施の一形態である。
また、本実施形態に係る防湿シート７０は、本発明に係る防湿部材の実施の一形態である。
また、本実施形態に係る外壁面材５４は、本発明に係る第一平板状部の実施の一形態である。
また、本実施形態に係る外壁フレーム５１及び断熱ボード５３は、本発明に係る第二平板状部の実施の一形態である。
また、本実施形態に係る軒天吊金物５６及び吊木５７は、本発明に係る取付部の実施の一形態である。
また、本実施形態に係る防湿シート７０の左端部は、本発明に係る延設部の実施の一形態である。
【００６９】
以上、本発明の実施形態を説明したが、本発明は上記構成に限定されるものではなく、特許請求の範囲に記載された発明の範囲内で種々の変更が可能である。
【００７０】
例えば、本実施形態においては通気構造Ｓが適用される建物として戸建て住宅（住宅Ｈ）を例に挙げて説明したが、本発明はその他種々の建物に適用することが可能である。
【００７１】
また、本実施形態において示した外壁部５０の構成は一例であり、通気層５５を有していれば、その他の部材の構成は適宜変更することが可能である。
【００７２】
また、防湿シート７０は可撓性を有するものとしたが、本発明はこれに限るものではなく、可撓性を有さないものであってもよい。
【００７３】
また、防湿シート７０の固定方法は、本実施形態に係る方法（粘着テープにより固定する方法や、軒天下地パネル３１と吊木５７との間に挟みこむ方法）に限らず、任意の方法で固定することが可能である。
【００７４】
また、防湿シート７０は、通気口Ｖや外壁部５０の通気層５５を上方から覆うように配置されるものとしたが、必ずしも当該通気口Ｖや通気層５５の全体を覆う必要はない。すなわち、当該通気口Ｖ等の一部分（必要な部分）だけを覆うように防湿シート７０を配置することも可能である。
【符号の説明】
【００７５】
３０  軒天部
３１  軒天下地パネル
３２  軒天面材
５０  外壁部
５１  外壁フレーム
５３  断熱ボード
５５  通気層
５６  軒天吊金物
５７  吊木
６０  軒天見切
７０  防湿シート
【図１】
2018127784.tif 000003
【図２】
2018127784.tif 000004
【図３】
2018127784.tif 000005
【図４】
2018127784.tif 000006
【図５】
2018127784.tif 000007
【図６】
2018127784.tif 000008